(57)【要約】  本出願は、複数のユーザーの物流器具が混雑に格納された場合の物流器具の受渡効率が低いという問題を解決するために、物流器具インテリジェントクラウドの受渡および課金の計算方法およびシステムを開示した。本発明において、第１のユーザーおよび他のユーザーの物流器具は、第１の領域に混在されて格納され、サーバーは、アップロードされたＮ個の物流器具のＩＤを受信し、このＮ個の物流器具は、第１の領域から任意に選択され、サーバーは、実物の受渡に参加したＮ個の物流器具のＩＤに基づいて、実物の受渡に参加したＮ個の物流器具を第２のユーザーに属するように調整し、実物の受渡に参加したＮ個の物流器具を除いた第１の領域の物流器具の帰属関係を調整する。【選択図】図１
2021513150.tif 000002
【特許請求の範囲】
【請求項１】
物流器具インテリジェントクラウドの受渡方法であって、
第１のユーザーおよび他のユーザーの物流器具は、第１の領域に混在されて格納され、
前記方法は、
サーバーが端末によってアップロードされたＮ個の物流器具のＩＤを受信するステップと、前記Ｎ個の物流器具のＩＤは、前記第１のユーザーのＮ個の物流器具実物を第２のユーザーに受渡する必要がある時に、混在されて格納された前記第１の領域から実際に選択された実物の受渡に参加したＮ個の物流器具のＩＤであり、前記Ｎは、正の整数であり、
前記サーバーが前記実物の受渡に参加したＮ個の物流器具のＩＤに基づいて、前記実物の受渡に参加したＮ個の物流器具を前記第２のユーザーに属するように調整するステップと、および
前記サーバーが前記実物の受渡に参加したＮ個の物流器具を除いた前記第１の領域の物流器具の帰属関係を調整するステップとを含むことを特徴とする、前記物流器具インテリジェントクラウドの受渡方法。
【請求項２】
前記実物受渡のためのＮ個の物流器具のＩＤのうち、Ｍ個のＩＤに対応する物流器具は受渡の前に前記第１のユーザーに属せず、Ｍは、Ｎ以下の正の整数であることを特徴とする
請求項１に記載の物流器具インテリジェントクラウドの受渡方法。
【請求項３】
前記サーバーが前記実物の受渡に参加したＮ個の物流器具を除いた前記第１の領域の物流器具の帰属関係を調整するステップは、
前記第１のユーザーに属する物流器具からＭ個を選択して、選択されたＭ個の物流器具を前記他のユーザーに属するように調整するステップを含むことを特徴とする
請求項２に記載の物流器具インテリジェントクラウドの受渡方法。
【請求項４】
前記サーバーが前記実物の受渡に参加したＮ個の物流器具を除いた前記第１の領域の物流器具の帰属関係を調整するステップは、
前記第１の領域における前記実物の受渡に参加したＮ個の物流器具を除いた物流器具の帰属関係をそれぞれのユーザーが所有すべき器具の数に応じて１回リセットするステップを含むことを特徴とする
請求項１に記載の物流器具インテリジェントクラウドの受渡方法。
【請求項５】
前記選択は、実物受渡のために、前記第１の領域に混在されて格納された物流器具からＮ個の物流器具をランダムに選択することを特徴とする
請求項１に記載の物流器具インテリジェントクラウドの受渡方法。
【請求項６】
前記選択は、実物受渡のために、前記第１の領域に混在されて格納された物流器具からＮ個の相互に隣接する物流器具を選択することを特徴とする
請求項１に記載の物流器具インテリジェントクラウドの受渡方法。
【請求項７】
前記実物の受渡に参加したＮ個の物流器具を前記第２のユーザーに属するように調整するステップは、前記実物の受渡に参加したＮ個の物流器具のＩＤをリセットするステップを含み、
前記サーバーが前記実物の受渡に参加したＮ個の物流器具を除いた前記第１の領域の物流器具の帰属関係を調整するステップは、前記実物の受渡に参加したＮ個の物流器具を除いた前記第１の領域の１つまたは複数の物流器具のＩＤをリセットするステップを含むことを特徴とする
請求項１〜６のいずれか一項に記載の物流器具インテリジェントクラウドの受渡方法。
【請求項８】
前記実物の受渡は、
前記Ｎ個の物流器具に所有権移転が発生し、合意領域から離れたこと、
前記Ｎ個の物流器具に所有権移転が発生し、合意領域に到達したこと、
前記Ｎ個の物流器具に所有権移転が発生し、エンプティステートからフルステートに変更されたことなどの条件の１つでトリガーされることを特徴とする
請求項１〜６のいずれか一項に記載の物流器具インテリジェントクラウドの受渡方法。
【請求項９】
前記物流器具は、エンプティステートの物流器具であることを特徴とする
請求項１〜６のいずれか一項に記載の物流器具インテリジェントクラウドの受渡方法。
【請求項１０】
物流器具レンタルの課金の計算方法であって、
前記請求項１に記載の方法で物流器具インテリジェントクラウドの受渡を行い、物流器具の帰属関係を調整する時に、帰属関係が調整された物流器具のＩＤをリセットし、物流器具のＩＤのリセット履歴を記録するステップと、
前記履歴に基づいて、物流器具所有者が物流器具をレンタルした使用時間サイクルを照会するステップと、および
前記使用時間サイクルに基づいて、前記物流器具所有者に対して課金を計算するステップとを含むことを特徴とする、前記物流器具レンタルの課金の計算方法。
【請求項１１】
物流器具インテリジェントクラウドの受渡システムであって、
端末によってアップロードされたＮ個の物流器具のＩＤを受信するために使用され、前記Ｎ個の物流器具のＩＤは、第１のユーザーのＮ個の物流器具実物を第２のユーザーに受渡する必要がある時に、混在されて格納された前記第１の領域から実際に選択された実物の受渡に参加したＮ個の物流器具のＩＤであり、前記第１のユーザーおよび他のユーザーの物流器具は、第１の領域に混在されて格納され、前記Ｎは、正の整数である受信モジュールと、
前記実物の受渡に参加したＮ個の物流器具のＩＤに基づいて、前記実物の受渡に参加したＮ個の物流器具を前記第２のユーザーに属するように調整するために使用される第１の調整モジュールと、および
前記実物の受渡に参加したＮ個の物流器具を除いた前記第１の領域の物流器具の帰属関係を調整するために使用される第２の調整モジュールとを含むことを特徴とする、前記物流器具インテリジェントクラウドの受渡方法。
【発明の詳細な説明】
【技術分野】
【０００１】
本出願は、物流分野に関し、特に、物流器具の受渡技術に関する。
【背景技術】
【０００２】
循環可能な物流器具の使用コストを削減するために、物流器具を時分割レンタル方法を採用することができる。物流器具レンタルのシナリオでは、複数のユーザーは、同じタイプの物流器具をレンタルし、同じ格納場所（例えば、倉庫）に混雑に格納することがある。第１のユーザーによってレンタルされたエンプティステートのＮ個の物流器具を第２のユーザーに受渡する場合、まず、混雑に格納された物流器具から、第１のユーザーに属するＮ個の物流器具を選択する必要があるが、これは、特に異なるユーザーに属する物流器具が同じモデルである場合、時間と手間がかかる。例えば、１つの選択方法は、各物流器具のコードをスキャンし（例えば、バーコードまたはＱＲコード（登録商標））、スキャン結果に基づいて物流器具が第１のユーザーに属するかどうかを判断することであるが、これは時間と手間がかかる。別の例として、別の選択方法は、物流器具に所属ユーザーのＩＤを貼り付けることであり、ＩＤが明確であれば、選択しやすいが、これは新たな問題を引き起こす：物流器具を受渡した後、受渡された物流器具に新しいユーザーＩＤを貼り付け、元のユーザーＩＤを除去する必要があるため、時間と手間がかかる。
【０００３】
異なるユーザーに属する物流器具が混雑に格納された場合、特にこれらの物流器具が外観的に区別しにくい場合、既存の技術では物流器具の受渡を効率的に実現することができないことが分かる。
【発明の概要】
【発明が解決しようとする課題】
【０００４】
本出願の目的は、複数のユーザーの物流器具が混雑に格納された場合の物流器具の受渡効率が低いという問題を解決するために、物流器具インテリジェントクラウドの受渡および課金の計算方法およびシステムを提供することである。
【課題を解決するための手段】
【０００５】
上記の問題を解決するために、本出願は、物流器具インテリジェントクラウドの受渡方法であって、第１のユーザーおよび他のユーザーの物流器具は、第１の領域に混在されて格納され、前記方法は、
サーバーが端末によってアップロードされたＮ個の物流器具のＩＤを受信するステップと、前記Ｎ個の物流器具のＩＤは、前記第１のユーザーのＮ個の物流器具実物を第２のユーザーに受渡する必要がある時に、混在されて格納された前記第１の領域から実際に選択された実物の受渡に参加したＮ個の物流器具のＩＤであり、前記Ｎは、正の整数であり、
前記サーバーが前記実物の受渡に参加したＮ個の物流器具のＩＤに基づいて、前記実物の受渡に参加したＮ個の物流器具を前記第２のユーザーに属するように調整するステップと、および
前記サーバーが前記実物の受渡に参加したＮ個の物流器具を除いた前記第１の領域の物流器具の帰属関係を調整するステップとを含む、前記物流器具インテリジェントクラウドの受渡方法を開示する。
【０００６】
一好ましい例において、前記実物受渡のためのＮ個の物流器具のＩＤのうち、Ｍ個のＩＤに対応する物流器具は受渡の前に前記第１のユーザーに属せず、Ｍは、Ｎ以下の正の整数である。
【０００７】
一好ましい例において、前記サーバーが前記実物の受渡に参加したＮ個の物流器具を除いた前記第１の領域の物流器具の帰属関係を調整するステップは、
前記第１のユーザーに属する物流器具からＭ個を選択して、選択されたＭ個の物流器具を前記他のユーザーに属するように調整するステップを含む。
【０００８】
一好ましい例において、前記サーバーが前記実物の受渡に参加したＮ個の物流器具を除いた前記第１の領域の物流器具の帰属関係を調整するステップは、
前記第１の領域における前記実物の受渡に参加したＮ個の物流器具を除いた物流器具の帰属関係をそれぞれのユーザーが所有すべき器具の数に応じて１回リセットするステップを含む。
【０００９】
一好ましい例において、前記選択は、実物受渡のために、前記第１の領域に混在されて格納された物流器具からＮ個の物流器具をランダムに選択することである。
【００１０】
一好ましい例において、前記選択は、実物受渡のために、前記第１の領域に混在されて格納された物流器具からＮ個の相互に隣接する物流器具を選択することである。
【００１１】
一好ましい例において、前記実物の受渡に参加したＮ個の物流器具を前記第２のユーザーに属するように調整するステップは、前記実物の受渡に参加したＮ個の物流器具のＩＤをリセットするステップを含み、
前記サーバーが前記実物の受渡に参加したＮ個の物流器具を除いた前記第１の領域の物流器具の帰属関係を調整するステップは、前記実物の受渡に参加したＮ個の物流器具を除いた前記第１の領域の１つまたは複数の物流器具のＩＤをリセットするステップを含む。
【００１２】
一好ましい例において、前記実物の受渡は、
前記Ｎ個の物流器具に所有権移転が発生し、合意領域から離れたこと、
前記Ｎ個の物流器具に所有権移転が発生し、合意領域に到達したこと、
前記Ｎ個の物流器具に所有権移転が発生し、エンプティステートからフルステートに変更されたことなどの条件の１つでトリガーされる。
【００１３】
一好ましい例において、前記物流器具は、エンプティステートの物流器具である。
【００１４】
本出願は、物流器具レンタルの課金の計算方法であって、
上記の方法で物流器具インテリジェントクラウドの受渡を行い、物流器具の帰属関係を調整する時に、帰属関係が調整された物流器具のＩＤをリセットし、物流器具のＩＤのリセット履歴を記録するステップと、
前記履歴に基づいて、物流器具所有者が物流器具をレンタルした使用時間サイクルを照会するステップと、および
前記使用時間サイクルに基づいて、前記物流器具所有者に対して課金を計算するステップとを含む、前記物流器具レンタルの課金の計算方法をさらに開示する。
【００１５】
本出願は、物流器具インテリジェントクラウドの受渡システムであって、
端末によってアップロードされたＮ個の物流器具のＩＤを受信するために使用され、前記Ｎ個の物流器具のＩＤは、第１のユーザーのＮ個の物流器具実物を第２のユーザーに受渡する必要がある時に、混在されて格納された前記第１の領域から実際に選択された実物の受渡に参加したＮ個の物流器具のＩＤであり、前記第１のユーザーおよび他のユーザーの物流器具は、第１の領域に混在されて格納され、前記Ｎは、正の整数である受信モジュールと、
前記実物の受渡に参加したＮ個の物流器具のＩＤに基づいて、前記実物の受渡に参加したＮ個の物流器具を前記第２のユーザーに属するように調整するために使用される第１の調整モジュールと、および
前記実物の受渡に参加したＮ個の物流器具を除いた前記第１の領域の物流器具の帰属関係を調整するために使用される第２の調整モジュールとを含む、前記物流器具インテリジェントクラウドの受渡システムをさらに開示する。
【発明の効果】
【００１６】
従来技術と比較して、本出願の実施形態は、複数のユーザーに属する物流器具が混雑に格納された場合、受渡の前に、物流器具の帰属状況を識別する必要なく、物流器具の受渡効率を大幅に改善できる。
【００１７】
本出願の明細書には多数の技術的特徴が記載されており、それらはさまざまな技術的解決策で配布されており、本出願のすべての可能な技術的特徴（すなわち、技術的解決策）の組み合わせをリストすると、説明が冗長になる。この問題を回避するために、上記の本出願の内容に開示された各技術的特徴、以下の各実施形態および例に開示された各技術的特徴、および図面に開示された各技術的特徴は、これらの技術的特徴の組み合わせが技術的に実現可能でない限り、互いに自由に組み合わせることができるし、さまざまな新しい技術的解決策（これらの技術的解決策は、本明細書に記録されていると見なされます）を構成する。例えば、１つの例において、特徴Ａ＋Ｂ＋Ｃが開示され、別の例において、特徴Ａ＋Ｂ＋Ｄ＋Ｅが開示され、特徴Ｃと特徴Ｄは同じ作用を果たす同等の技術的手段である場合、技術的に１つのみを使用し、同時に使用することはできず、特徴Ｅが技術的に特徴Ｃと組み合わせることができる場合、Ａ＋Ｂ＋Ｃ＋Ｄの解決策は技術的に実現可能でないため、記録されたと見なされるべきではなく、Ａ＋Ｂ＋Ｃ＋Ｅの解決策がすでに記録されたと見なされるべきである。
【図面の簡単な説明】
【００１８】
【図１】本出願の第１の実施形態における物流器具インテリジェントクラウドの受渡方法のフローチャートである。
【図２】本出願の１つの実施例における各ユーザー間の物流器具のやりくりの模式図である。
【図３】本出願の１つの実施例におけるクラウドの受渡中の物流器具のＩＤのリセットの模式図である。
【発明を実施するための形態】
【００１９】
以下の説明では、読者に本出願をよりよく理解させるために、多くの技術的な詳細が提案されている。しかしながら、当業者は、以下のこれらの技術的詳細および実施形態に基づく様々な変更および修正がなくても、本出願で請求される技術的解決策を実施できることを理解することができる。
【００２０】
一部の概念の説明：
物流器具のＩＤは、システムによって各物流器具に割り当てられたロジックＩＤであり、１つの物流器具を一意に識別するために使用され、変更することができる。例えば、物流器具のＩＤは、前記ユーザーの情報を含むことができ、１つの物流器具が１つのユーザーから別のユーザーに受渡された場合、物流器具のＩＤをリセットする必要がある。
【００２１】
サーバーとは、ネットワーク中の他の機器にあるサービスを提供するコンピュータシステムを指し、サーバーがサービスを提供する対象は通常クライアント（または端末）と呼ばれる。サーバーとクライアントとの間は、有線または無線の方法で通信できる。本出願の各実施形態において、サーバーは、単なるコンピュータ、または異なる機能を有する複数のコンピュータから構成される論理サーバーシステム、コンピュータおよび外部記憶装置および他の外部デバイスから構成されるコンピュータシステム、コンピュータクラスタクラスタ、またはクラウドサーバーなどの形態であり得る。
【００２２】
エンプティステートとは、物流器具に物がロードされていない状態を指す。
【００２３】
対応関係とは、通常、ストレージデバイス（例えば、ストレージサーバー、ハードディスク、メモリ等）に保存される２つまたはその以上のデータの間の対応関係を指し、具体的な形態は、例えば、１つの対応関係のファイル、データベース中のテーブルなど、さまざまであることができる。
【００２４】
循環可能な物流器具とは、再利用可能な物流器具を指し、器具には固体または液体の物質を積載でき、包装されたガス状物質を積載することも可能である。典型的に、エンプティステートの循環可能な物流器具が荷送人に輸送された後、荷物をそこに積み込み、その後、フルステートの循環可能な物流器具を荷受人に輸送し、その中の荷物を荷降ろし、エンプティステートの循環可能な物流器具に戻り、再利用できる。本出願の技術的解決策は、循環可能な物流器具に特に適する。
【００２５】
以下、本出願の一部革新的なポイントを紹介する。
【００２６】
第１のユーザーに属するＮ個の物流器具の実物を第２のユーザーに受渡する必要がある場合、受渡の前に、複数のユーザーに属する混雑に格納された物流器具を予め識別および選択せず、直接に混雑に格納された物流器具から任意の方法でＮ個の物流器具を選択して実物の受渡に参加する。選択されたＮ個の物流器具のＩＤをサーバーにアップロードすると、これらの残された物流器具の中、実物受渡の前に対して、第１のユーザーに属する物流器具の数がＮ個減少し、他のユーザーに属する物流器具の数は変わらないように、サーバーはこれらの物流器具の元の帰属に関わらず、直接に前記Ｎ個の物流器具を第２のユーザーに属するように調整し、元の混雑に格納された物流器具の中、残された物流器具に帰属関係の調整を行う。クラウドで物流器具の帰属関係を調整することにより、物流器具の実物の選択プロセスを回避して、物流器具の受渡効率が大幅に改善された。
【００２７】
本出願の目的、技術的解決策、および利点をより明確にするために、本出願の実施形態を添付の図面を参照して以下でさらに詳細に説明する。
【００２８】
本発明第１の実施形態は、物流器具インテリジェントクラウドの受渡方法に関する。図１は、前記物流器具インテリジェントクラウドの受渡方法のフローチャートである。前記物流器具インテリジェントクラウドの受渡方法の第１のユーザーおよび他のユーザーの物流器具は、第１の領域に混在されて格納され、前記方法は、以下のステップを含む。
【００２９】
端末によってＮ個の物流器具のＩＤをアップロードおよび受信するステップ１０１。ここで、前記Ｎ個の物流器具のＩＤは、第１のユーザーのＮ個の物流器具実物を第２のユーザーに受渡する必要がある時に、混在されて格納された前記第１の領域から実際に選択された実物の受渡に参加したＮ個の物流器具のＩＤであり、Ｎは、正の整数である。あるいは、第１のユーザーのＮ個の物流器具実物を第２のユーザーに受渡するために、まず、混在されて格納された第１の領域から任意の方法でＮ個の物流器具を選択して受渡する。前記Ｎ個の物流器具のＩＤには、受渡する前に第１のユーザーに属しないＩＤに対応するＭ個の物流器具が存在することができ、ここで、ＭはＮ以下の正の整数である。
【００３０】
サーバーが端末によってアップロードされたＮ個の物流器具のＩＤを受信するステップ１０２。
【００３１】
サーバーが実物の受渡に参加したＮ個の物流器具のＩＤに基づいて、実物の受渡に参加したＮ個の物流器具を第２のユーザーに属するように調整するステップ１０３。
【００３２】
サーバーが実物の受渡に参加したＮ個の物流器具を除いた第１の領域の物流器具の帰属関係を調整するステップ１０４。
【００３３】
上記の技術的解決策を採用することにより、複数のユーザーに属する物流器具が混雑に格納された場合、受渡前に物流器具の帰属状況を識別する必要がなく、物流器具の受渡効率を大幅に改善できる。
【００３４】
ステップ１０１において、端末によって実物受渡のためのＮ個の物流器具のＩＤをアップロードする実現方法はさまざまであることができる。選択的に、各物流器具に無線通信機能を有するインテリジェントモジュールが設置され、インテリジェントモジュールは、自身が所在する物流器具が実物の受渡に参加したことを判断した後、端末として無線ネットワークを介して自身のＩＤをアップロードする。選択的に、各物流器具には、物流器具のＩＤを送信し、スタッフがスマートフォン（端末として）を使用して実物の受渡に参加したＮ個の物流器具によって送信されるＩＤを受信し、モバイル通信ネットワークを介してサーバーにアップロードするように、ブルートゥース（登録商標）モジュールが設置される。選択的に、スタッフがＲＦＩＤ読み取りデバイスを使用して実物の受渡に参加したＮ個の物流器具によって送信されるＩＤを読み取り、前記ＲＦＩＤ読み取りデバイスは端末として、ＷＩＦＩおよびインターネットを介して物流器具のＩＤをサーバーにアップロードするように、各物流器具には、それぞれＲＦＩＤチップが設置される。選択的に、スタッフがタブレットコンピュータのカメラを使用して実物の受渡に参加したＮ個の物流器具によって送信されるＩＤを読み取り、前記タブレットコンピュータは端末として、ＷＩＦＩおよびインターネットを介して物流器具のＩＤをサーバーにアップロードするように、各物流器具には物流器具のＩＤを有するＱＲコードが設置される。
【００３５】
ステップ１０４において、実物の受渡に参加しない物流器具の帰属の調整の実現方法はさまざまであることができる。例えば、選択的に、ステップ１０４において、第１のユーザーに属する物流器具からＭ個を選択し、選択されたＭ個の物流器具を他のユーザーに属するように調整する。選択的に、ステップ１０４において、第１の領域における実物の受渡に参加したＮ個の物流器具を除いた物流器具の帰属関係をそれぞれのユーザーが所有すべき器具の数に応じて１回リセットする。
【００３６】
混在されて格納された第１の領域から実際に受渡に参加したＮ個の物流器具を選択する場合、選択方法はさまざまであることができる。選択的に、実物受渡のために、第１の領域における混在されて格納された物流器具からＮ個の物流器具をランダムに選択する。選択的に、実物受渡のために、第１の領域における混在されて格納された物流器具からＮ個の相互に隣接する物流器具を選択する。選択的に、第１のユーザーの物流器具を最初に選択するが、近くの第１のユーザーの物流器具を一度に見つからない場合、ランダム的または近接性の原則にしたがって他のユーザーの物流器具を選択する。
【００３７】
ステップ１０３の実現方法もさまざまであることができる。好ましくは、実物の受渡に参加したＮ個の物流器具のＩＤをリセットする。リセットする前のＩＤには、第１のユーザーの情報が携帯されることができ、リセットした後のＩＤには、第２のユーザーの情報が携帯されることができる。ＩＤリセット時間を記録する。これにより、ＩＤ自体から即座に所属するユーザーを知ることができ、時間の計算または課金の計算などの後の処理を容易にすることができる。選択的に、データベースにＮ個の物流器具のＩＤおよび第２のユーザーの対応関係を構築する。
【００３８】
ステップ１０４の実現方法もさまざまであることができる。好ましくは、第１の領域の中、第１のユーザーに属する残された物流器具からＭ個を選択し、これらのＭ個の物流器具のＩＤを他のユーザーの物流器具ＩＤにリセットする。選択的に、第１の器具に残された物流器具をすべてＩＤリセットし、リセットした後、各ユーザーが所有する物流器具の数が正しい限り、リセット方法は制限されない。選択的に、データベースにおいて、残された物流器具のＩＤと各ユーザーのユーザーＩＤの対応関係を調整して、各ユーザーが所有する物流器具の数が正しいようにする。
【００３９】
実物受渡のトリガー条件も様々であることができる。例えば、以下の条件の１つでトリガーされる：
Ｎ個の物流器具に所有権移転が発生し、合意領域から離れた。
Ｎ個の物流器具に所有権移転が発生し、合意領域に到達した。
Ｎ個の物流器具に所有権移転が発生し、エンプティステートからフルステートに変更された。
【００４０】
実物の受渡に参加した物流器具は、エンプティステートの物流器具であることが好ましく、特定のシナリオでは必要ない。物流器具エンプティステートの識別方法はさまざまである。選択的に、物流器具は、折りたたみ式で、折りたたまれた物流器具はエンプティステートである。選択的に、物流器具は、ネスト可能で、ネストされた物流器具はエンプティステートである。選択的に、物流器具にはセンサーが設置され、センサーの状態を介して前記物流器具がエンプティステートであるかどうかを自動判断することができる。
【００４１】
これらの異なるユーザーに属する物流器具は、同じモデルであってもよく、同じモデルでないものの、基本的な機能および外観に大きな違いがなく、外観的に区別しにくい。
【００４２】
以下、本実施形態の１つの実施例を説明する：
図２および図３は、理解を助けるために、物流器具の交割プロセスに関する物流器具をむきおよびＩＤリセットの一般的な原理を示し、図の「箱」は、物流器具を表す。
【００４３】
物流器具の貨物権が変更され、同時に位置情報が特定の場所に変更されると、対応する変更情報を記録するために、２つの場所の物流器具は同時にＩＤ番号（すなわち、ＩＤ）コードが再配布される。
【００４４】
物流器具が工場から出荷されると、クラウドサーバーは、各出荷された物流器具にＩＤ番号を配布し、ＩＤ番号は、各物流器具のエンティティボックス番号にそれぞれ対応する。
【００４５】
物流器具は、複数回のやりくり輸送後、同じ下流企業ユーザー（以下、Ａユーザーと略称）で複数の上流企業（以下、ａユーザー、ｂユーザー、ｃユーザーと略称）の物流器具を有し、これらの物流器具はお互いに混在するが、貨物権は、それぞれａユーザー、ｂユーザーおよびｃユーザーに属する。
【００４６】
ａユーザーが自分の一部の物流器具をＡユーザーから別の場所の他の企業（以下、ｄ企業と略称）に輸送する必要がある場合、同時に物流器具貨物権はａユーザーからｄユーザーに転換される。
【００４７】
ロジスティクスプロバイダーは対応する数の物流器具（ａユーザー物流器具、ｂユーザー物流器具およびｃユーザー物流器具を含む）を任意に取って、ｄ場所に輸送し、このとき、クラウドバックエンドは、これらの物流器具に新しいＩＤ番号を再配布して記録し、このＩＤ番号は、ａユーザー物流器具の今回のＩＤ番号のリセット時間および貨物権帰属情報（すなわち、ｄユーザー）を記録する。
【００４８】
取られたこれらの物流器具の中、ｂユーザーおよびｃユーザー物流器具（取り間違えた物流器具に対応する）のＩＤ番号は、Ａ場所の取られていないａユーザー物流器具に再配布され、Ａ場所のａユーザー物流器具の貨物権を取り間違えたｂユーザーおよびｃユーザーに転送することである。
【００４９】
別のＩＤ番号リセット方法：ｄ場所に輸送された物流器具とＡ場所の残りのすべての物流器具を全部ルールに従ってリセットする。
【００５０】
貨物権移転が発生すると、元の会社から発送された物流器具を前回ＩＤ番号リセット時間の最も早い物流器具からＩＤ番号をリセットする。
【００５１】
ＩＤ番号リセット履歴では、各物流器具所有者の物流器具のレンタル使用時間サイクルをいつでも照会することができる。会社のレンタル管理を容易にするために、所有者と会社が署名したレンタル契約の請求基準に基づいて、各レンタルのコスト明細が自動的に生成される。
【００５２】
前記実施例において、物流器具が混用されて貨物権の帰属を判断できない場合、ＩＤ番号リセットの方法で、同じモデルの物流器具に貨物権帰属を再割り当て、同時に各方の貨物権帰属者の対応する使用時間を記録することができる。
【００５３】
前記実施例の要点は以下のとおりである：
１）物流器具の貨物権が変更され、同時に位置情報が特定の場所に変更されると、対応する変更情報を記録するために、２つの場所の物流器具は同時にＩＤ番号（すなわち、ＩＤ）コードが再配布される。
２）毎回のＩＤ番号リセットはサーバー側に保存される。
３）物流器具エンティティボックス番号（１つの物流器具を一意に識別し、経時的に変化しないＩＤ番号）とＩＤ番号はお互いに対応し、ＩＤ番号に基づいて、そのエンティティボックス番号を照会することができるし、逆に、エンティティボックス番号に基づいて、ＩＤ番号のすべての履歴を照会することができる。
【００５４】
本発明の第２の実施形態は、物流器具のレンタル課金の計算方法に関する。前記物流器具のレンタル課金の計算方法は、
第１の実施形態に記載の方法で物流器具インテリジェントクラウドの受渡を行い、物流器具の帰属関係を調整する時に、帰属関係が調整された物流器具のＩＤをリセットし、物流器具のＩＤのリセット履歴を記録するステップと、
サーバーが履歴に基づいて、物流器具所有者が物流器具をレンタルした使用時間サイクルを照会するステップと、および
サーバーが使用時間サイクルに基づいて、物流器具所有者に対して課金を計算するステップとを含む。
【００５５】
本発明の第３の実施形態は、物流器具インテリジェントクラウドの受渡システムに関する。前記物流器具インテリジェントクラウドの受渡システムにおいて、受信モジュールは、端末によってアップロードされたＮ個の物流器具のＩＤを受信するために使用され、ここで、Ｎ個の物流器具のＩＤは、第１のユーザーのＮ個の物流器具実物を第２のユーザーに受渡する必要がある時に、混在されて格納された第１の領域から実際に選択された実物の受渡に参加したＮ個の物流器具のＩＤであり、第１のユーザーおよび他のユーザーの物流器具は、第１の領域に混在されて格納され、Ｎは、正の整数である。前記Ｎ個の物流器具のＩＤには、受渡する前に第１のユーザーに属しないＩＤに対応するＭ個の物流器具が存在することができ、ここで、ＭはＮ以下の正の整数である。
【００５６】
第１の調整モジュールは、実物の受渡に参加したＮ個の物流器具のＩＤに基づいて、実物の受渡に参加したＮ個の物流器具を前記第２のユーザーに属するように調整するために使用される。
【００５７】
第２の調整モジュールは、実物の受渡に参加したＮ個の物流器具を除いた第１の領域の物流器具の帰属関係を調整するために使用される。
【００５８】
第２の調整モジュールの実物の受渡に参加しない物流器具の帰属の調整の実現方法はさまざまであることができる。選択的に、好ましくは、第１の領域の中、現在第１のユーザーに属する残された物流器具からＭ個を選択し、これらのＭ個の物流器具のＩＤを他のユーザーの物流器具ＩＤにリセットする。選択的に、第１の器具に残された物流器具をすべてＩＤリセットし、リセットした後、各ユーザーが所有する物流器具の数が正しい限り、リセット方法は制限されない。選択的に、データベースにおいて、残された物流器具のＩＤと各ユーザーのユーザーＩＤの対応関係を調整して、各ユーザーが所有する物流器具の数が正しいようにする。
【００５９】
混在されて格納された第１の領域から実際に受渡に参加したＮ個の物流器具を選択する場合、選択方法はさまざまであることができる。選択的に、実物受渡のために、第１の領域における混在されて格納された物流器具からＮ個の物流器具をランダムに選択する。選択的に、実物受渡のために、第１の領域における混在されて格納された物流器具からＮ個の相互に隣接する物流器具を選択する。選択的に、第１のユーザーの物流器具を最初に選択するが、近くの第１のユーザーの物流器具を一度に見つからない場合、ランダム的または近接性の原則にしたがって他のユーザーの物流器具を選択する。
【００６０】
第１の実施形態は、本実施形態に対応する方法の実施形態であり、本実施形態は、第１の実施形態と連携して実施することができる。第１の実施形態で述べた関連する技術的詳細は、本実施形態でも依然として有効であり、繰り返しを減らすために、ここでは繰り返して説明しない。これに対応して、本実施形態で述べた関連する技術的詳細は、第１の実施形態にも適用することができる。
本発明の各方法の実施形態はすべて、ソフトウェア、ハードウェア、ファームウェアなどの方法で実施することができる。本発明がソフトウェア、ハードウェア、またはファームウェアのいずれかの方法で実施されるかに関係なく、命令コードは任意のタイプのコンピューターアクセス可能なメモリ（例えば、永続的または変更可能な、揮発性または不揮発性、固体または非固体、固定または交換可能なメディアなど）に保存できる。同様に、メモリは、例えば、プログラマブルアレイロジック（Ｐｒｏｇｒａｍｍａｂｌｅ  Ａｒｒａｙ  Ｌｏｇｉｃ、「ＰＡＬ」と略称）、ランダムアクセスメモリ（Ｒａｎｄｏｍ  Ａｃｃｅｓｓ  Ｍｅｍｏｒｙ、「ＲＡＭ」と略称）、プログラマブルリードオンリーメモリ（Ｐｒｏｇｒａｍｍａｂｌｅ  Ｒｅａｄ  Ｏｎｌｙ  Ｍｅｍｏｒｙ、「ＰＲＯＭ」と略称）、読み取り専用メモリ（Ｒｅａｄ−Ｏｎｌｙ  Ｍｅｍｏｒｙ、「ＲＯＭ」と略称）、電気的に消去可能なプログラム可能な読み取り専用メモリ（Ｅｌｅｃｔｒｉｃａｌｌｙ  Ｅｒａｓａｂｌｅ  Ｐｒｏｇｒａｍｍａｂｌｅ  ＲＯＭ、「ＥＥＰＲＯＭ」と略称）、ディスク、光ディスク、デジタル多用途ディスク（Ｄｉｇｉｔａｌ  Ｖｅｒｓａｔｉｌｅ  Ｄｉｓｃ、「ＤＶＤ」と略称）であることができる。
【００６１】
本発明の各機器の実施形態に提言された各ユニットは論理ユニットであり、物理的には、１つの論理ユニットは、１つの物理ユニットであっても、１つの物理ユニットの一部で、または複数の物理ユニットの組み合わせとして実現されることができ、これらの論理ユニット自身の物理的な実現方法は最も重要ではなく、これらの論理ユニットによって実現される機能の組み合わせこそ、本発明によって提案される技術的問題を解決するための鍵であることに留意されたい。なお、本発明の革新的な部分を強調するために、本発明の上記の機器の実施形態は、本発明によって提案される技術的問題の解決に密接に関連しないユニットを導入しなかったが、上記の機器の実施形態に他のユニットが存在しないことを意味しない。
【００６２】
本特許の出願書類において、第１及び第２などの関係用語は、１つのエンティティまたは操作を別のエンティティまたは操作から区別するためにのみ使用され、これらのエンティティまたは操作の間の実際の関係または順序を必ずしも必要または暗示するわけではないことに留意されたい。なお、一連の要素を含むプロセス、方法、物品、またはデバイスがそれらの要素だけでなく、明示的にリストされていない物品も含み、またはそのようなプロセス、方法、物品、またはデバイスに固有のその他の要素をさらに含むように、用語「含む」、またはその他の変形は、非排他的な包含を含むことを意図する。さらに制限がなければ、「１つの……を含む」で制限された要素は、その要素を含むプロセス、方法、物品、またはデバイスに他の同一の要素があることを除外しない。本特許の出願書類において、要素に従ってアクションを実行すると言及された場合、それは少なくとも要素に従ってアクションを実行することを意味し、ここでは２つの場合を含む：前記要素のみに基づいてアクションを実行し、前記要素と他の要素に従って前記アクションを実行する。複数、複数回、および複数の種類などの表現は、２つ、２回、２種類、および２つ以上、２回以上、および２種類以上を含む。
【００６３】
本発明で言及されるすべての文書は、あたかも各文書が個々に参照により組み込まれたかのように、本出願に参照により組み込まれる。さらに、本発明の上記の教示内容を読んだ後、当業者は本発明に様々な変更または修正を加えることができ、これらの同等の形態も本出願によって請求される保護の範囲内にあることを理解されたい。                                                                               
【図１】
2021513150.tif 000003
【図２】
2021513150.tif 000004
【図３】
2021513150.tif 000005
【国際調査報告】
2021513150.tif 000006
2021513150.tif 000007
2021513150.tif 000008
2021513150.tif 000009